(57)【特許請求の範囲】
【請求項１】
ひとつの画面内に複数の映像を表示し、トランジションによる映像切替を行う映像表示方法において、
映像切替を行う前の映像データである切替前映像データ、映像切替後の映像データである切替後映像データ、及び上記切替前映像データと上記切替後映像データを合成したトランジション映像データを、トランジション開始からの各垂直同期信号期間に分散して生成し、上記切替前映像データと上記トランジション映像データを上記トランジション開始後の垂直同期信号に対応して順次表示すると共に、
上記切替後映像データとして、切替後ブリンクON映像データと切替後ブリンクOFF映像データの２つの映像データを生成し、上記切替後映像データを上記切替後ブリンクON映像データと上記切替後ブリンクOFF映像データをブリンク（点滅）ＯＮ、ＯＦＦのタイミングで切り替えるようにしたことを特徴とする映像表示方法。
【請求項２】
ひとつの画面内に複数の映像を表示し、トランジションによる映像切替を行う映像表示方法において、
トランジション開始からの垂直同期信号の回数をカウントするステップと、
上記垂直同期信号のカウント回数に対応して、映像切替を行う前の映像データである切替前映像データ、映像切替後の映像データである切替後映像データ、及び上記切替前映像データと上記切替後映像データを合成したトランジション映像データを生成するステップと、
上記切替前映像データと上記トランジション映像データを上記トランジション開始後の垂直同期信号に対応して順次表示するステップとを含み、
上記切替後映像データとして、切替後ブリンクON映像データと切替後ブリンクOFF映像データの２つの映像データを生成し、上記切替後映像データを上記切替後ブリンクON映像データと上記切替後ブリンクOFF映像データをブリンク（点滅）ＯＮ、ＯＦＦのタイミングで切り替えるようにしたことを特徴とする映像表示方法。
【発明の詳細な説明】
【技術分野】
【０００１】
この発明は、ひとつの画面内に複数の映像を表示し、トランジションによる映像切替を行う映像表示方法に関するものである。
【背景技術】
【０００２】
従来のフレームごとに映像データを生成する映像表示方法においては、映像切り替え時のトランジション映像を表示するために、切替前映像データと切替後映像データを生成し、さらに切替前映像データと切替後映像データを合成したトランジション映像データを生成する必要がある。
このため、従来の映像表示方法においては、例えば特許文献１に示すように、トランジション開始時に３つの映像データ（切替前映像データ、切替後映像データ、切替前映像データ・切替後映像データを合成したトランジション映像データ）をトランジション開始と同時に全て生成するようにしている。
【先行技術文献】
【特許文献】
【０００３】
【特許文献１】特開２００７−２４３５９３号公報
【発明の概要】
【発明が解決しようとする課題】
【０００４】
このようにトランジション映像データを表示する場合は、通常の映像表示の場合と比較して３倍の映像を生成する必要があるため、トランジション映像表示開始時に負荷が集中し、映像生成処理が映像の更新に間に合わなくなり、映像全体としてのフレーム落ち等の問題が発生する。
そのためトランジション映像を表示しているコンテンツ以外の領域に他のコンテンツを表示している場合、他のコンテンツにてフレーム落ちが発生し、映像品質の劣化が発生していた。
【０００５】
この発明は、上記のような課題を解決するためになされたものであり、複数のコンテンツを表示している状態で、ひとつまたは複数のコンテンツがトランジション映像を生成・表示してもトランジション映像を表示していない他のコンテンツのフレーム落ちを防止し映像表示装置全体としての映像品質の劣化を防止できる映像表示方法を提供することを目的とする。
【課題を解決するための手段】
【０００６】
この発明は、ひとつの画面内に複数の映像を表示し、トランジションによる映像切替を行う映像表示方法において、映像切替を行う前の映像データである切替前映像データ、映像切替後の映像データである切替後映像データ、及び上記切替前映像データと上記切替後映像データを合成したトランジション映像データを、トランジション開始からの各垂直同期信号期間に分散して生成し、上記切替前映像データと上記トランジション映像データを上記トランジション開始後の垂直同期信号に対応して順次表示すると共に、上記切替後映像データとして、切替後ブリンクON映像データと切替後ブリンクOFF映像データの２つの映像データを生成し、上記切替後映像データを上記切替後ブリンクON映像データと上記切替後ブリンクOFF映像データをブリンク（点滅）ＯＮ、ＯＦＦのタイミングで切り替えるようにしたものである。
【発明の効果】
【０００７】
この発明の映像表示方法によれば、トランジション映像表示開始時に集中する負荷を複数の垂直同期信号期間に分散して処理するように構成したので、トランジション映像を表示していないコンテンツのフレーム落ちを防止し映像表示装置全体としての映像品質の向
上を図ることができる。
【図面の簡単な説明】
【０００８】
【図１】この発明の実施の形態１に係る本発明を適用した映像表示装置全体のブロック構成図である。
【図２】実施の形態１に係る映像表示方法を適用したトランジション映像生成部を示すブロック構成図である。
【図３】実施の形態１において複数のコンテンツを表示する表示例を示す図である。
【図４】実施の形態１においてひとつのコンテンツがトランジション映像を表示している表示例を示す図である。
【図５】実施の形態１に係るトランジション映像生成時の処理方法を示す説明図である。
【図６】実施の形態１に係るトランジション映像表示時の映像生成・表示に関する処理フロー図である。
【図７】この発明の実施の形態２に係る映像表示方法を適用したトランジション映像生成部を示すブロック構成図である。
【発明を実施するための形態】
【０００９】
実施の形態１．
図１は、この発明の実施の形態１に係る本発明を適用した映像表示装置１０全体のブロック構成図である。
図１のように映像表示装置１０は、複数のコンテンツ映像生成部１２a〜１２ｎと、コ
ンテンツ映像生成部１２a〜１２ｎが生成した映像データを合成するコンテンツ映像合成
部１５と、コンテンツ映像合成部１５が生成した映像を表示する表示部１６から構成されている。
各コンテンツ映像生成部１２a〜１２ｎは、それぞれ映像素材１１ａ〜１１ｎに基づき
通常映像を生成する通常映像生成部１３と、映像素材１１ａ〜１１ｎに基づきトランジション映像を生成するトランジション映像生成部１４とから構成される。
【００１０】
図２は、トランジション映像生成部１４の詳細を示したブロック構成図である。
図２のようにトランジション映像生成部１４では、切替前映像素材Ｄ２１から生成された切替前映像データＤ２４と、切替後映像素材Ｄ２２から生成された切替後映像データＤ２５を合成処理部１７で合成することによりトランジション映像データＤ２３を生成している。
表示する映像については、トランジション開始からのVSync（垂直同期信号）回数のカウ
ントにより、切替前映像データＤ２４とトランジション映像データＤ２３を切り替えて、コンテンツ映像データＤ２６を生成し、コンテンツ映像合成部１５に出力している。
【００１１】
図３は、この発明の実施の形態１において複数のコンテンツを表示する表示例を示す図である。
上部表示エリア３１に映像データを表示し、下部表示エリア３２に流し文字を表示している。
【００１２】
図４は、この発明の実施の形態１においてひとつのコンテンツがトランジション映像を表示している表示例を示す図で、ひとつのコンテンツがトランジションを実施している表示例である。
上部表示エリア３１の映像データが切替前映像データ４１と切替後映像データ４２でトランジション映像データＤ２３を表示しており、下部表示エリア３２に流し文字を表示している。
【００１３】
図５は、この発明の実施の形態１に係るトランジション映像生成時の処理方法を示す説明図で、トランジション生成時の従来の処理方法５１とこの発明の実施形態１に係る処理方法を示した図である。
従来処理方法５１では、トランジションの開始と同時に切替前映像データＤ２４を生成する処理Ａ、切替後映像データＤ２５を生成する処理Ｂ、切替前映像データＤ２４と切替後映像データＤ２５を合成したトランジション映像データＤ２３を生成する処理Ｃを実行しているため、映像の更新間隔（VSync期間）内に処理が間に合わず、表示部１６において
フレーム落ちが発生している。
一方、本発明処理方法５２では、これらの処理Ａ，Ｂ，ＣをそれぞれVSync期間単位で分
散して実行することで、表示部１６におけるフレーム落ちを防止している。
【００１４】
図６は図１のトランジション映像生成部１４の処理フロー図である。トランジション開始Ｓ７０１からのVSync回数により、処理が分かれている（Ｓ７０２）。
トランジション開始Ｓ７０１からのVSync回数が１の場合は、切替前映像データＤ２４
を生成し（Ｓ７０３）、切替前映像データＤ２４を表示する（Ｓ７０４）。
トランジション開始Ｓ７０１からのVSync回数が２の場合は、切替後映像データＤ２４
を生成し（Ｓ７０５）、切替前映像データＤ２４を表示する（Ｓ７０６）。
トランジション開始Ｓ７０１からのVSync回数が３以上の場合は、切替前映像データＤ
２４・切替後映像データＤ２５を取得し（Ｓ７０７・Ｓ７０８）、切替前映像データＤ２４と・切替後映像データＤ２５を合成したトランジション映像データＤ２３を生成し（Ｓ７０９）、生成したトランジション映像データＤ２３を表示している（Ｓ７１０）。
各処理完了後、フレーム表示間隔を調整するため待ち状態（Ｓ７１１）の後、トランジション終了（Ｓ７１２）であればトランジション終了処理（Ｓ７１３）、終了でなければＳ７０２以降の処理を繰り返す。
【００１５】
このように構成されたトランジション生成部１４においては、切替効果開始時の切替前映像データＤ２４の生成、切替後映像データＤ２５の生成、切替前映像データＤ２４・切替後映像データＤ２５の合成によるトランジション映像データの生成を、３VSync期間に
分散して実行することになる。
従って、１VSync期間に１映像データを生成することとなり、負荷の集中を防ぐことが
できるため、映像表示装置１０においてフレーム落ちを防止でき、他のコンテンツのフレーム落ちによる映像品質の劣化（がたつき等）を防止することができる。
【００１６】
実施の形態２．
図７は、この発明の実施の形態２によるトランジション映像生成部１４を示すブロック構成図である。
上記の実施の形態１では、切替後映像データＤ２５をひとつで構成する場合について述べたが、図７に示すように、切替後映像データＤ２５の代わりに切替後ブリンクON映像データＤ２５ａと切替後ブリンクOFF映像データＤ２５ｂの２つの映像データを生成し、合成処理部１７に入力する切替後映像データＤ２５を切替後ブリンクON映像データＤ２５ａと切替後ブリンクOFF映像データＤ２５ｂを切換手段１８によりブリンク（点滅）ＯＮ、ＯＦＦのタイミングで切り替えるようにしたので、トランジション映像表示中でも切替後映像データＤ２５のブリンク（点滅）を実現することができる。
【符号の説明】
【００１７】
１０  映像表示装置、１１ａ〜１１ｎ  映像素材、１２ａ〜１２ｎ  コンテンツ映像生成部、１３  通常映像生成部、１４  トランジション映像生成部、１５  コンテンツ映像合成部、１６  表示部、１７  合成処理部、１８  切換手段、３１  上部表示エリア、３２
下部表示エリア、４１  切替前映像、４２  切替後映像、５１  従来処理方法、５２  本発明処理方法
Ｄ２１  切替前映像素材、Ｄ２２  切替後映像素材、Ｄ２３  トランジション映像データ、Ｄ２４  切替前映像データ、Ｄ２５  切替後映像データ、Ｄ２６  コンテンツ映像データ、Ｄ２５ａ  切替後ブリンクON映像データ、Ｄ２５ｂ  切替後ブリンクOFF映像データ
【図１】
0005634128.tif 000002
【図２】
0005634128.tif 000003
【図３】
0005634128.tif 000004
【図４】
0005634128.tif 000005
【図５】
0005634128.tif 000006
【図６】
0005634128.tif 000007
【図７】
0005634128.tif 000008